(57)【要約】      （修正有）【課題】収容袋が取付け易く、特に複数の収容袋を１つの収納箱の中に取付けるのに適する収納箱を提供する。【解決手段】収納空間２１１の上端部において収納空間と連通している上端開口２２１及び収納空間の前端部において収納空間と連通し且つ上端開口と隣接する前側開口２２２からなる開口部２２が開けられている箱本体２１と、開口部２２の周縁に配置されていると共に上側に面している支持面２３１が形成されている支持手段２３とを有する箱ユニット２と、箱ユニットの開口部２２の内側に挿し込まれている本体枠３１と、本体枠の上端部の外側面から外側へ張り出して支持面２３１により支持されるように支持手段２３に取付けられている支持枠３２とを有する袋保持ユニット３と、を具え、袋保持ユニット３に、上から切り込まれるように形成された保持溝３３１が複数形成されている。【選択図】図１
0003204079.tif 000002
【実用新案登録請求の範囲】
【請求項１】
所定の収納空間を囲みながら、該収納空間の上端部において前記収納空間と連通している上端開口及び前記収納空間の前端部において前記収納空間と連通し且つ前記上端開口と隣接する前側開口からなる開口部が開けられている箱本体と、前記開口部の周縁に配置されていると共に、上側に面している支持面が形成されている支持手段とを有するように構成されている箱ユニットと、
枠状に形成されて前記箱ユニットの前記開口部外から前記開口部の内側に挿し込まれるように配置されている本体枠と、前記本体枠の上端部の外側面から枠状の前記本体枠の外側へ張り出して前記箱ユニットの前記支持手段が有する前記支持面により支持されるように前記支持手段に取付けられている支持枠とを有するように構成されている袋保持ユニットと、を具え、
前記袋保持ユニットに、上から切り込まれるように形成された保持溝が複数形成されていることを特徴とする収納箱。
【請求項２】
前記袋保持ユニットに、前記本体枠の前記保持溝の下側に位置する箇所より該本体枠の外側へ突出してから上側へ曲がる保持フックが形成されていることを特徴とする請求項１に記載の収納箱。
【請求項３】
各前記保持溝は、それぞれ前記袋保持ユニットに形成されて上側に面する底面と、該底面と隣接し且つ該底面と略直交するように上方へ延伸する２つの側面とにより画成されており、
更に、少なくとも１つの前記保持溝には、該保持溝を画成する前記２つの側面における１つに、制限突起が形成されていることを特徴とする請求項１または請求項２に記載の収納箱。
【請求項４】
前記袋保持ユニットに、前記本体枠より該本体枠の内側へ突出してから上側へ曲がるサポートフックが形成されていることを特徴とする請求項１〜請求項３のいずれか一項に記載の収納箱。
【請求項５】
前記箱ユニットが有する前記支持手段には、前記支持面の外周縁から上側へ突起する周壁が更に形成されていることを特徴とする請求項１〜請求項４のいずれか一項に記載の収納箱。
【請求項６】
前記箱ユニットが有する前記支持手段に形成された前記支持面は、前記上端開口の上側に対応する平面部と、前記前側開口の上側に対応する斜面部とを有していると共に、前記平面部と前記斜面部とが隣接する箇所に、複数の接続スロットが凹設されており、
前記袋保持ユニットには、前記支持枠から下方へ突出して各前記接続スロットに挿し込まれている接続突起が形成されていることを特徴とする請求項１〜請求項５のいずれか一項に記載の収納箱。
【請求項７】
前記箱ユニットが有する前記支持手段には、前記袋保持ユニットに形成される前記保持溝に隣接する収容凹部が形成されていることを特徴とする請求項１〜請求項６のいずれか一項に記載の収納箱。
【請求項８】
前記箱ユニットの前記上端開口を覆うように前記箱ユニットに取り外し可能に取付けられている上端蓋部と、
前記箱ユニットの前記前側開口を覆うように前記箱ユニットに取り外し可能に取付けられていると共に、前記上端蓋部に枢支されている前側蓋部と、を有する蓋ユニットを更に具えていることを特徴とする請求項１〜請求項７のいずれか一項に記載の収納箱。
【考案の詳細な説明】
【技術分野】
【０００１】
本考案は、収納箱に関し、特に収容袋が取付けられることができる収納箱に関する。
【背景技術】
【０００２】
収納箱はその収納空間内に収容袋を取付けることにより、物品を分別保管したり、またはまとめて入れたり取り出したりすることができるので、広く応用されている。しかし、収納箱は収納対象や設置場所に応じて様々な種類があるので、必ずしも収容袋が設置しやすい形状や構成を有するものではなく、そして１つの収納箱の中に複数の収容袋を取付けて物品を分別保管することも困難である。
【考案の概要】
【考案が解決しようとする課題】
【０００３】
上記問題点に鑑みて、本考案は収容袋が取付け易く、特に複数の収容袋を１つの収納箱の中に取付けるのに適する収納箱の提供を目的とする。
【課題を解決するための手段】
【０００４】
上記目的を達成する手段として、本考案は、所定の収納空間を囲みながら、該収納空間の上端部において前記収納空間と連通している上端開口及び前記収納空間の前端部において前記収納空間と連通し且つ前記上端開口と隣接する前側開口からなる開口部が開けられている箱本体と、前記開口部の周縁に配置されていると共に、上側に面している支持面が形成されている支持手段とを有するように構成されている箱ユニットと、枠状に形成されて前記箱ユニットの前記開口部外から前記開口部の内側に挿し込まれるように配置されている本体枠と、前記本体枠の上端部の外側面から枠状の前記本体枠の外側へ張り出して前記箱ユニットの前記支持手段が有する前記支持面により支持されるように前記支持手段に取付けられている支持枠とを有するように構成されている袋保持ユニットと、を具え、前記袋保持ユニットに、上から切り込まれるように形成された保持溝が複数形成されていることを特徴とする収納箱を提供する。
【考案の効果】
【０００５】
上記構成によれば、本考案の収納箱は、袋保持ユニットに上から切り込まれるように形成された保持溝が複数形成されているので、袋の手提げ部を隣り合う２つの保持溝にそれぞれ嵌め込んで該２つの保持溝の間に掛けることができると共に、保持溝が３つ以上形成されている場合は、複数の収容袋を取付けることもできるので、収容袋が取付け易く、且つ複数の収容袋を１つの収納箱の中に取付るのに適する収納箱を提供することができる。
【図面の簡単な説明】
【０００６】
【図１】本考案の収納箱の構成例が示されている分解斜視図である。
【図２】本考案の収納箱の同構成例が示されている一部分解斜視図である。
【図３】本考案の収納箱の同構成例における袋保持ユニットの一部拡大斜視図である。
【図４】本考案の収納箱の同構成例の全体的構造が示されている斜視図である。
【図５】本考案の収納箱の同構成例における袋保持ユニットにビニール袋が掛けられている様子が示されている説明図である。
【図６】本考案の収納箱の同構成例における袋保持ユニットに大型のビニール袋が掛けられている様子が示されている説明図である。
【図７】図６に示されている袋保持ユニット及び大型のビニールが箱ユニットに取付けられている様子が示されている説明図である。
【考案を実施するための形態】
【０００７】
以下は各図面を参照して本考案の収納箱の好ましい実施形態について詳しく説明する。
【０００８】
図１〜図７に本考案の収納箱の好ましい実施形態が示されており、図１は本考案の収納箱の構成例が示されている分解斜視図である。
【０００９】
図１に示されているように、本考案の収納箱は、箱ユニット２と、袋保持ユニット３と、蓋ユニット４と、を具えている。また、図２は本考案の収納箱の蓋ユニット４のみが分解されて示されている一部分解斜視図である。
【００１０】
箱ユニット２は、所定の収納空間２１１を囲みながら、収納空間２１１の上端部において収納空間２１１と連通している上端開口２２１及び収納空間２１１の前端部において収納空間２１１と連通し且つ上端開口２２１と隣接する前側開口２２２からなる開口部２２が開けられている箱本体２１と、開口部２２の周縁に配置されていると共に、上側に面している支持面２３１が形成されている支持手段２３とを有するように構成されている。
【００１１】
袋保持ユニット３は、枠状に形成されて箱ユニット２の開口部２２外から開口部２２の内側に挿し込まれるように配置されている本体枠３１と、前記本体枠３１の上端部の外側面から枠状の本体枠３１の外側へ張り出して箱ユニット２の支持手段２３が有する支持面２３１により支持されるように支持手段２３に取付けられている支持枠３２とを有し、且つ、上から切り込まれるように形成された保持溝３３１が複数形成されている。
【００１２】
また、図示されているように、この実施形態において、箱ユニット２の支持手段２３に形成されている支持面２３１は、上端開口２２１に隣接して上方に面している平面部２３１１と、前側開口２２２に隣接して前側に傾いている斜面部２３１２とを有するように形成されており、そして支持面２３１により支持される袋保持ユニット３もこの構成に対応して、支持面２３１の平面部２３１１により支持される上枠部３０１と、斜面部２３１２により支持される前枠部３０２とを有している。
【００１３】
更に、袋保持ユニット３の上枠部３０１には、上端開口２２１を横断する上枠棒３０３を有し、前枠部３０２には上枠棒３０３と略平行するように延伸している前枠棒３０４を有している。
【００１４】
図３は本考案の収納箱の同構成例における袋保持ユニット３の一部、即ち袋保持ユニット３の上枠部３０１の拡大斜視図である。
【００１５】
本実施形態において、袋保持ユニット３の保持溝３３１は、上枠棒３０３と前枠棒３０４とにそれぞれ３つ形成され、それぞれ上側に面する底面３３１ａと、底面３３１ａと隣接し且つ底面３３１ａと略直交するように上方へ延伸する２つの側面３３１ｂ、３３１ｃとにより画成され、上枠棒３０３と略直交する方向に沿って対応の上枠棒３０３または前枠棒３０４を横断するように上から切り込まれて形成されている。
【００１６】
また、図示のように、上枠棒３０３の中央部に形成された保持溝３３１の下側に位置する箇所より、本体枠３１の外側へ突出してから上側へ曲がる保持フック３３２ａが形成されている。また、上枠棒３０３の一端部（図３における右下端部）にある保持溝３３１を画成する側面３３１ｂには、制限突起３３２ｂが形成されている。
【００１７】
更に、図１及び図３等に示されているように、袋保持ユニット３には、本体枠３１より該本体枠３１の内側へ突出してから上側へ曲がるサポートフック３３３が形成されている。サポートフック３３３は保持溝３３１の近くに配置することが好ましく、例えばこの実施形態において、サポートフック３３３は保持溝３３１の隣で保持溝３３１を画成する側面３３１ｃが面する方向へ突出してから上側へ曲がるように形成されている。
【００１８】
図４は本考案の収納箱の同構成例の全体的構造が示されている斜視図である。図１、図２、及び図４に示されているように、箱ユニット２が有する支持手段２３には、支持面２３１の外周縁から突起する周壁２３２と、支持面２３１における平面部２３１１と斜面部２３１２とが隣接する箇所に凹設されている左右一つずつの接続スロット２３３と、袋保持ユニット３に形成される各保持溝３３１に隣接するように、支持面２３１における斜面部２３１２の前側開口２２２に臨む端縁にて凹設された収容凹部２３４と、が形成されている。そして袋保持ユニット３には、支持枠３２から下方へ突出して各接続スロット２３３に挿し込まれている接続突起３２１が形成されている。なお、収容凹部２３４を形成することにより、各保持溝３３１に収容袋の手提げ部などが取付けられる際、該収容袋の厚みを収容凹部２３４で受入れることができるので、袋保持ユニット３に収容袋が取付けられていても、箱ユニット２が有する支持手段２３に安定に設置することができる。
【００１９】
更にまた、図１、図２、及び図４に示されているように、蓋ユニット４は、箱ユニット２の上端開口２２１を覆うように箱ユニット２に取り外し可能に取付けられている上端蓋部４１と、箱ユニット４の前側開口２２２を覆うように箱ユニット２に取り外し可能に取付けられていると共に、上端蓋部４１に枢支されている前側蓋部４２と、を具えるように形成されている。
【００２０】
上記構成により、本考案の収納箱は図５に示されているように、例えばビニール袋などの収容袋１の手提げ部を隣り合う２つの保持溝３３１にそれぞれ嵌め込んで該２つの保持溝３３１の間に掛けたり、あるいは収容袋１の手提げ部を保持フック３３２ａに掛けたりすることによって、複数の収容袋１を収納空間２１１内に取付けて物品を分別保管することができる。この際、保持溝３３１の隣に配置されているサポートフック３３３は、収容袋１の手提げ部を引っ掛けて該収容袋１の開口を広げることができる。
【００２１】
また、図６及び図７は袋保持ユニット３に収容袋１ａとして大型のビニール袋が掛けられている様子が示されている説明図である。図６に示されているように、収容袋１ａとして大型のビニール袋が使用される場合、該ビニール袋の開口縁部を袋保持ユニット３に巻き付けるように袋保持ユニット３に取付けてから、図７に示されるように箱ユニット２の支持手段２３に設置すると、該ビニール袋の開口縁部は袋保持ユニット３と箱ユニット２の支持手段２３に形成される支持面２３１及び周壁２３２との間に挟まれて固定されるようになる。
【産業上の利用可能性】
【００２２】
上記構成によれば、本考案の収納箱は、袋保持ユニットに上から切り込まれるように形成された保持溝が複数形成されているので、袋の手提げ部を隣り合う２つの保持溝にそれぞれ嵌め込んで該２つの保持溝の間に掛けることができると共に、保持溝が３つ以上形成されている場合は、複数の収容袋を取付けることもできるので、収容袋が取付け易く、且つ複数の収容袋を１つの収納箱の中に取付るのに適する収納箱を提供することができる。
【符号の説明】
【００２３】
１、１ａ    収容袋
２          箱ユニット
２１        箱本体
２１１      収容空間
２２        開口部
２２１      上端開口
２２２      前側開口
２３        支持手段
２３１      支持面
２３１１    平面部
２３１２    斜面部
２３２      周壁
２３３      接続スロット
２３４      収容凹部
３          袋保持ユニット
３０１      上枠部
３０２      前枠部
３０３      上枠棒
３０４      前枠棒
３１        本体枠
３２        支持枠
３３１      保持溝
３３１ａ    底面
３３１ｂ、３３１ｃ  側面
３３２ａ    保持フック
３３２ｂ    制限突起
３３３      サポートフック
４          蓋ユニット
４１        上端蓋部
４２        前側蓋部
【図１】
0003204079.tif 000003
【図２】
0003204079.tif 000004
【図３】
0003204079.tif 000005
【図４】
0003204079.tif 000006
【図５】
0003204079.tif 000007
【図６】
0003204079.tif 000008
【図７】
0003204079.tif 000009